【手続補正書】
【提出日】平成17年11月2日(2005.11.2)
【手続補正１】
【補正対象書類名】明細書
【補正対象項目名】発明の名称
【補正方法】変更
【補正の内容】
【発明の名称】可搬型記憶装置、その制御方法及び制御プログラム、並びに可搬型記憶装置を備えた電子情報機器
【手続補正２】
【補正対象書類名】明細書
【補正対象項目名】特許請求の範囲
【補正方法】変更
【補正の内容】
【特許請求の範囲】
【請求項１】  記憶媒体と記憶媒体へのデータの書込みと前記記憶媒体からのデータの読込みとを行う記憶媒体制御手段とを筐体に内蔵した記憶カートリッジを外部から内部の所定位置まで収容し、当該所定位置から外部まで排出する収容排出手段と、前記記憶カートリッジへの記憶動作を制御する記憶動作制御手段とを有する可搬型記憶装置であって、
前記収容排出手段の動作状態を判定する収容排出動作判定手段と、
当該収容排出動作判定手段の判定結果に基づいて、前記記憶カートリッジへの前記記憶動作制御手段のアクセスを禁止するアクセス禁止手段とを備えたことを特徴とする可搬型記憶装置。
【請求項２】 前記収容排出動作判定手段は、前記収容排出手段の動作状態が前記記憶カートリッジを収容するためのローディング動作を待つ状態である「待機中」、前記ローディング動作を実行している状態である「ローディング中」、前記ローディング動作が完了した状態である「ローディング完了」、前記記憶カートリッジを排出するためのイジェクト動作を実行している状態である「イジェクト中」のいずれであるかを判定し、「ローディング中」及び「イジェクト中」のいずれかであるときは、アクセス禁止手段は前記記憶カートリッジへの前記記憶動作制御手段のアクセスを禁止することを特徴とする請求項１に記載の可搬型記憶装置。
【請求項３】 前記アクセス禁止手段は、前記収容排出手段の動作状態が「ローディング完了」以外であるときは、前記記憶カートリッジへの前記記憶動作制御手段のアクセスを禁止することを特徴とする請求項２に記載の可搬型記憶装置。
【請求項４】 前記アクセス禁止手段は、物理的に前記記憶カートリッジが前記本体装置に装着されているか否かに拘らず、前記可搬型記憶カートリッジが実際に装着されていない場合と同様の動作制御を行うことによって前記記憶動作制御手段によるアクセスを禁止することを特徴とする請求項２又は３に記載の可搬型記憶装置。
【請求項５】 前記アクセス禁止手段は、前記記憶動作制御手段と前記記憶カートリッジと間の電気信号の少なくとも一部を電気的に切断する信号切断手段により構成されることを特徴とする請求項１乃至３のいずれか１項に記載の可搬型記憶装置。
【請求項６】 前記信号切断手段は、半導体素子で構成されることを特徴とする請求項５に記載の可搬型記憶装置。
【請求項７】 請求項１乃至６のいずれか１項に記載の可搬型記憶装置を備えた電子情報機器。
【請求項８】 記憶媒体と当該記憶媒体へのデータの書込みと前記記憶媒体からのデータの読込みとを行う記憶媒体制御手段とを筐体に内蔵した記憶カートリッジを外部から内部の所定位置まで収容し、当該所定位置から外部まで排出する収容排出手段と、前記記憶カートリッジへの記憶動作を制御する記憶動作制御手段とを有する可搬型記憶装置の制御方法であって、
前記収容排出手段の動作状態を判定する収容排出動作判定ステップと、
当該収容排出動作判定ステップの判定結果に基づいて、前記記憶カートリッジへの前記記憶動作制御手段のアクセスを禁止するアクセス禁止ステップとを備えたことを特徴とする可搬型記憶装置の制御方法。
【請求項９】 請求項８に記載の可搬型記憶装置の制御方法をコンピュータに実行させるための制御プログラム。
【手続補正３】
【補正対象書類名】明細書
【補正対象項目名】０００１
【補正方法】変更
【補正の内容】
【０００１】
【発明の属する技術分野】
本発明は、記憶カートリッジを収容し、排出する可搬型記憶装置、その制御方法及び制御プログラム、並びに可搬型記憶装置を備えた電子情報機器に関する。
【手続補正４】
【補正対象書類名】明細書
【補正対象項目名】００１５
【補正方法】変更
【補正の内容】
【００１５】
本発明は、こうした従来技術の不備に鑑みてなされたものであり、その目的は、オートローディング・イジェクト機構を採用した可搬型記憶装置におけるリームバブルハードディスクカートリッジの着脱の際に、高速かつ安全にローディング・イジェクト動作が実行できる可搬型記憶装置、その制御方法及び制御プログラム、並びに可搬型記憶装置を備えた電子情報機器を提供することにある。
【手続補正５】
【補正対象書類名】明細書
【補正対象項目名】００１６
【補正方法】変更
【補正の内容】
【００１６】
【課題を解決するための手段】
上記目的を達成するための、請求項１の可搬型記憶装置は、記憶媒体と記憶媒体へのデータの書込みと前記記憶媒体からのデータの読込みとを行う記憶媒体制御手段とを筐体に内蔵した記憶カートリッジを外部から内部の所定位置まで収容し、当該所定位置から外部まで排出する収容排出手段と、前記記憶カートリッジへの記憶動作を制御する記憶動作制御手段とを有する可搬型記憶装置であって、前記収容排出手段の動作状態を判定する収容排出動作判定手段と、当該収容排出動作判定手段の判定結果に基づいて、前記記憶カートリッジへの前記記憶動作制御手段のアクセスを禁止するアクセス禁止手段とを備えたことを特徴とする。
請求項７の電子情報機器は、請求項１乃至６のいずれか１項に記載の可搬型記憶装置を備えたことを特徴とする。
請求項８の可搬型記憶装置の制御方法は、記憶媒体と当該記憶媒体へのデータの書込みと前記記憶媒体からのデータの読込みとを行う記憶媒体制御手段とを筐体に内蔵した記憶カートリッジを外部から内部の所定位置まで収容し、当該所定位置から外部まで排出する収容排出手段と、前記記憶カートリッジへの記憶動作を制御する記憶動作制御手段とを有する可搬型記憶装置の制御方法であって、前記収容排出手段の動作状態を判定する収容排出動作判定ステップと、当該収容排出動作判定ステップの判定結果に基づいて、前記記憶カートリッジへの前記記憶動作制御手段のアクセスを禁止するアクセス禁止ステップとを備えたことを特徴とする。
【手続補正６】
【補正対象書類名】明細書
【補正対象項目名】００６４
【補正方法】削除
【補正の内容】
【手続補正７】
【補正対象書類名】明細書
【補正対象項目名】００６５
【補正方法】削除
【補正の内容】
【手続補正８】
【補正対象書類名】明細書
【補正対象項目名】００６６
【補正方法】削除
【補正の内容】
【手続補正９】
【補正対象書類名】明細書
【補正対象項目名】００６７
【補正方法】削除
【補正の内容】
【手続補正１０】
【補正対象書類名】明細書
【補正対象項目名】００６８
【補正方法】削除
【補正の内容】
【手続補正１１】
【補正対象書類名】明細書
【補正対象項目名】００６９
【補正方法】削除
【補正の内容】
【手続補正１２】
【補正対象書類名】明細書
【補正対象項目名】００７０
【補正方法】削除
【補正の内容】
【手続補正１３】
【補正対象書類名】明細書
【補正対象項目名】００７１
【補正方法】削除
【補正の内容】
【手続補正１４】
【補正対象書類名】明細書
【補正対象項目名】００７２
【補正方法】削除
【補正の内容】
【手続補正１５】
【補正対象書類名】明細書
【補正対象項目名】００７３
【補正方法】削除
【補正の内容】
【手続補正１６】
【補正対象書類名】明細書
【補正対象項目名】００７４
【補正方法】削除
【補正の内容】
【手続補正１７】
【補正対象書類名】明細書
【補正対象項目名】００７５
【補正方法】削除
【補正の内容】
【手続補正１８】
【補正対象書類名】明細書
【補正対象項目名】００７６
【補正方法】削除
【補正の内容】
【手続補正１９】
【補正対象書類名】明細書
【補正対象項目名】００７７
【補正方法】削除
【補正の内容】
【手続補正２０】
【補正対象書類名】明細書
【補正対象項目名】００７８
【補正方法】削除
【補正の内容】